(57)【要約】    【課題】自世帯住居のみならず他世帯住居の防犯設定／解除を容易にできるようにして、より防犯性の高い防犯・報知機能をもたせる。    【解決手段】親世帯住居に玄関子機１、防犯センサ３および親世帯インターホン親機２を備え、子世帯住居に玄関子機４、防犯センサ６および子世帯インターホン親機５を備えており、例えば他世帯住居となる子世帯住居の防犯設定や設定解除を自世帯住居となる親世帯住居に備えた親世帯インターホン親機２のタッチパネル２３で容易に操作でき、その防犯設定や設定解除の状況確認もタッチパネル２３で容易に操作して確認でき、而もその変更が失敗した場合には親世帯インターホン親機２の報知部である液晶表示部２９やスピーカ２７で確認することができる。    【選択図】図１
2006067082.tif 000002
【特許請求の範囲】
【請求項１】
来訪者が親世帯住居の居住者または子世帯住居の居住者を呼び出して通話するための玄関子機（１、４）と、前記親世帯住居、前記子世帯住居にてそれぞれ発生したセキュリティ異常を検知するための防犯センサ（３、６）と、前記玄関子機からの呼び出しを確認した前記居住者が応答して前記来訪者との間で通話するとともに、前記防犯センサにて検知されたセキュリティ異常を発報するための親世帯インターホン親機（２）および子世帯インターホン親機（５）とを備え、
前記親世帯インターホン親機および前記子世帯インターホン親機は、自世帯住居の前記防犯センサの防犯設定／解除の防犯設定情報を記憶するためのメモリ（２１、５１）と、確認先の防犯設定情報を読み出すための確認信号を確認先のインターホン親機に送信する防犯設定情報確認送信手段（２２ｄ、２３ｄ、３３、５２ｄ、５３ｄ、６３）と、確認元のインターホン親機から送信されてきた前記確認信号を受信し、前記メモリから自世帯住居の防犯設定情報を読み出して確認元のインターホン親機に送信する防犯設定情報読出送信手段（２２、３３、５２、６３）と、前記確認先のインターホン親機から送信されてきた防犯設定情報を報知する防犯設定情報報知手段（２２、２６、２７、２９、５２、５６、５７、５９）とを有することを特徴とする多世帯用インターホン装置。
【請求項２】
来訪者が親世帯住居の居住者または子世帯住居の居住者を呼び出して通話するための玄関子機（１、４）と、前記親世帯住居、前記子世帯住居にてそれぞれ発生したセキュリティ異常を検知するための防犯センサ（３、６）と、前記玄関子機からの呼び出しを確認した前記居住者が応答して前記来訪者との間で通話するとともに、前記防犯センサにて検知されたセキュリティ異常を発報するための親世帯インターホン親機（２）および子世帯インターホン親機（５）とを備え、
前記親世帯インターホン親機および前記子世帯インターホン親機は、自世帯住居の前記防犯センサの防犯設定／解除の防犯設定情報を記憶するためのメモリ（２１、５１）と、要求先の防犯設定情報を変更するための変更要求信号を要求先のインターホン親機に送信する防犯設定情報変更要求手段（２２ｂ、２３ｂ、５２ｂ、５３ｂ）と、要求元のインターホン親機から送信されてきた前記変更要求信号を受信し、自世帯住居のインターホン親機を防犯設定または解除に変更するとともに、前記変更された自世帯住居の防犯設定情報を前記メモリに記憶する防犯設定情報変更記憶手段（２２ａ、２３ａ、５２ａ、５３ａ）と、前記メモリに記憶された自世帯住居の防犯設定情報を前記要求元のインターホン親機に送信する防犯設定情報送信手段（２２、３３、５２、６３）と、前記要求先のインターホン親機から送信されてきた防犯設定情報を報知する防犯設定情報報知手段（２２、２６、２７、２９、５２、５６、５７、５９）とを有することを特徴とする多世帯用インターホン装置。
【請求項３】
前記親世帯インターホン親機および前記子世帯インターホン親機は、前記要求元のインターホン親機から送信されてきた前記変更要求信号を受信して自世帯住居のインターホン親機の防犯設定または解除の変更が失敗したことを通知するための変更失敗通知信号を前記要求元のインターホン親機に送信する変更失敗情報送信手段（２２、３３、５２、６３）、前記要求先のインターホン親機から送信されてきた前記変更失敗通知信号を受信して警報発報を行うための警報発報手段（２２、２６、２７、２９、５２、５６、５７、５９）とを有することを特徴とする請求項２記載の多世帯用インターホン装置。
【請求項４】
来訪者が親世帯住居の居住者または子世帯住居の居住者を呼び出して通話するための玄関子機（１、４）と、前記親世帯住居、前記子世帯住居にてそれぞれ発生したセキュリティ異常を検知するための防犯センサ（３、６）と、前記玄関子機からの呼び出しを確認した前記居住者が応答して前記来訪者との間で通話するとともに、前記防犯センサにて検知されたセキュリティ異常を発報するための親世帯インターホン親機（２）および子世帯インターホン親機（５）とを備え、
前記親世帯インターホン親機および前記子世帯インターホン親機は、自世帯住居の前記防犯センサの防犯設定／解除の防犯設定情報を記憶するためのメモリ（２１、５１）と、自世帯住居の防犯設定情報を変更するための防犯設定情報変更手段（２２ａ、２３ａ、５２ａ、５３ａ）と、変更された自世帯住居の防犯設定情報を報知先のインターホン親機に送信する防犯設定情報送信手段（２２、３３、５２、６３）と、前記防犯設定が変更されたインターホン親機から送信されてきた前記防犯設定情報を受信して報知するための防犯設定情報報知手段（２２、２６、２７、２９、５２、５６、５７、５９）とを有することを特徴とする多世帯用インターホン装置。
【発明の詳細な説明】
【技術分野】
【０００１】
本発明は、多世帯用インターホン装置に係り、特に各世帯住居間で防犯設定／解除が容易にできる多世帯用インターホン装置に関する。
【背景技術】
【０００２】
従来から、この種のインターホン装置である２世帯用インターホン装置は、２世帯住宅の共用玄関に取り付けられる玄関子機と、親世帯住居に設置される親世帯インターホン親機と、子世帯住居に設置される子世帯インターホン親機とを備え、親世帯インターホン親機と子世帯インターホン親機とは玄関子機を介して接続されている（例えば、特許文献１参照）。このような２世帯用インターホン装置では、玄関子機から親世帯インターホン親機あるいは子世帯インターホン親機へ呼び出しができ、また、玄関子機と、親世帯インターホン親機あるいは子世帯インターホン親機との間で通話を行うことができる。
【０００３】
また、２世帯用インターホン装置は、親世帯インターホン親機および子世帯インターホン親機間で内線通話ができたり、熱感知センサやガス漏れセンサなどを設置して火災、ガス漏れなどの異常発生を緊急連絡したりすることができるセキュリティ機能が開発されている。特に、緊急連絡の場合には、自世帯住居だけではなく、他世帯住居に対しても緊急連絡することができる機能を有している（例えば、非特許文献１参照）。
【０００４】
【特許文献１】特開平１１−１７８１９号公報
【非特許文献１】アイホン総合カタログ２００４／２００５年版（ｐ．２４、ｐ．５５、ｐ．６２）
【発明の開示】
【発明が解決しようとする課題】
【０００５】
近年、高齢化に伴い２世帯住宅が増え、背景技術におけるセキュリティ機能に対して２世帯住宅用の防犯機能が求められている。即ち、子世帯住居と親世帯住居が内部で行き来できるような２世帯住宅では、自世帯住居だけではなく他世帯住居の防犯も行う必要があるので、それぞれの住居に防犯センサが設置され、その防犯センサが設置された住居のインターホン親機に接続されている。しかしながら、例えば、親世帯住居の防犯センサの設定、解除を子世帯インターホン親機ではできないので、親世帯住居で防犯設定中に子世帯住居の居住者がその親世帯住居に入ると警報が発報してしまうなどの難点があった。
【０００６】
本発明はこのような従来の難点を解決するためになされたもので、自世帯住居のみならず他世帯住居の防犯設定／解除を容易にすることで、より防犯性の高い防犯・報知機能を備えた多世帯用インターホン装置を提供することを目的とする。
【課題を解決するための手段】
【０００７】
本発明の多世帯用インターホン装置は、来訪者が親世帯住居の居住者または子世帯住居の居住者を呼び出して通話するための玄関子機と、親世帯住居、子世帯住居にてそれぞれ発生したセキュリティ異常を検知するための防犯センサと、玄関子機からの呼び出しを確認した居住者が応答して来訪者との間で通話するとともに、防犯センサにて検知されたセキュリティ異常を発報するための親世帯インターホン親機および子世帯インターホン親機とを備えているものである。
【０００８】
このような構成の多世帯用インターホン装置における第１の態様は、親世帯インターホン親機および子世帯インターホン親機が、自世帯住居の防犯センサの防犯設定／解除の防犯設定情報を記憶するためのメモリと、確認先の防犯設定情報を読み出すための確認信号を確認先のインターホン親機に送信する防犯設定情報確認送信手段と、確認元のインターホン親機から送信されてきた確認信号を受信し、メモリから自世帯住居の防犯設定情報を読み出して確認元のインターホン親機に送信する防犯設定情報読出送信手段と、確認先のインターホン親機から送信されてきた防犯設定情報を報知する防犯設定情報報知手段とを有するものである。
【０００９】
第１の態様によれば、例えば子世帯住居の防犯設定情報を確認するために親世帯住居の居住者が親世帯インターホン親機の防犯確認送信手段で、確認先である子世帯インターホン親機に防犯設定情報を読み出すための確認信号を送信する。この確認信号を受信した子世帯インターホン親機の防犯設定情報読出送信手段は、予めメモリに記憶された防犯設定情報を読み出して確認元である親世帯インターホン親機に送信する。この防犯設定情報を受信した親世帯インターホン親機は、防犯設定情報報知手段で子世帯住居からの防犯設定情報を報知する。したがって、親世帯住居で子世帯住居の防犯設定情報を取得できるようになる。なお、子世帯住居で親世帯住居の防犯設定情報を確認する場合においても、親世帯住居で子世帯住居の防犯設定情報を確認する場合と同様の操作且つ動作なので、説明は省略する。
【００１０】
また、第２の態様は、親世帯インターホン親機および子世帯インターホン親機が、自世帯住居の防犯センサの防犯設定／解除の防犯設定情報を記憶するためのメモリと、要求先の防犯設定情報を変更するための変更要求信号を要求先のインターホン親機に送信する防犯設定情報変更要求手段と、要求元のインターホン親機から送信されてきた変更要求信号を受信し、自世帯住居のインターホン親機を防犯設定または解除に変更するとともに、変更された自世帯住居の防犯設定情報をメモリに記憶する防犯設定情報変更記憶手段と、メモリに記憶された自世帯住居の防犯設定情報を要求元のインターホン親機に送信する防犯設定情報送信手段と、要求先のインターホン親機から送信されてきた防犯設定情報を報知する防犯設定情報報知手段とを有するものである。
【００１１】
第２の態様によれば、例えば子世帯住居の防犯設定情報を変更するために親世帯住居の居住者が親世帯インターホン親機の防犯設定情報変更要求手段で、要求先である子世帯インターホン親機に防犯設定情報を変更するための変更要求信号を送信する。この変更要求信号を受信した子世帯インターホン親機の防犯設定情報変更記憶手段は、予めメモリに記憶されている防犯設定情報を変更して、その変更された防犯設定情報を自世帯住居の防犯設定情報としてメモリに記憶する。このメモリに記憶した防犯設定情報を、子世帯インターホン親機の防犯設定情報送信手段は要求元である親世帯インターホン親機に送信する。
この変更された防犯設定情報を受信した親世帯インターホン親機は、防犯設定情報報知手段で子世帯住居からの変更された防犯設定情報を報知する。したがって、親世帯住居で子世帯住居の防犯設定情報を変更できるようになる。なお、子世帯住居で親世帯住居の防犯設定情報を変更する場合においても、親世帯住居で子世帯住居の防犯設定情報を変更する場合と同様の操作且つ動作なので、説明は省略する。
【００１２】
また、第３の態様は第２の態様において、親世帯インターホン親機および子世帯インターホン親機は、要求元のインターホン親機から送信されてきた変更要求信号を受信して自世帯住居のインターホン親機の防犯設定または解除の変更が失敗したことを通知するための変更失敗通知信号を要求元のインターホン親機に送信する変更失敗情報送信手段と、要求先のインターホン親機から送信されてきた変更失敗通知信号を受信して警報発報を行うための警報発報手段とを有するものである。
【００１３】
第３の態様によれば、例えば子世帯インターホン親機の防犯設定情報変更記憶手段が防犯設定情報の変更に失敗した場合には、子世帯インターホン親機の変更失敗情報送信手段が、防犯設定情報の変更が失敗したことを通知するための変更失敗通知信号を要求元である親世帯インターホン親機に送信する。この変更失敗通知信号を受信した親世帯インターホン親機は、警報発報手段で子世帯インターホン親機が防犯設定情報の変更に失敗した旨の警報発報を行う。したがって、要求元の親世帯住居において、子世帯住居で防犯設定情報の変更に失敗したことを確認できるようになる。なお、子世帯住居で親世帯住居の防犯設定情報の変更に失敗したことを確認する場合も、親世帯住居で子世帯住居の防犯設定情報の変更に失敗したことを確認することができる動作と同様なので、説明は省略する。
【００１４】
さらに、第４の態様は、親世帯インターホン親機および子世帯インターホン親機が、自世帯住居の防犯センサの防犯設定／解除の防犯設定情報を記憶するためのメモリと、自世帯住居の防犯設定情報を変更するための防犯設定情報変更手段と、変更された自世帯住居の防犯設定情報を報知先のインターホン親機に送信する防犯設定情報送信手段と、防犯設定が変更されたインターホン親機から送信されてきた防犯設定情報を受信して報知するための防犯設定情報報知手段とを有するものである。
【００１５】
第４の態様によれば、例えば子世帯住居の防犯設定情報を変更するために該子世帯住居の居住者が子世帯インターホン親機の防犯設定情報変更要求手段で防犯設定情報を変更すると、この変更された防犯設定情報は子世帯インターホン親機のメモリに記憶される。このメモリに記憶した防犯設定情報を、子世帯インターホン親機の防犯設定情報送信手段は親世帯インターホン親機に送信する。この変更された防犯設定情報を受信した親世帯インターホン親機は、防犯設定情報報知手段により子世帯住居で変更された防犯設定情報を報知する。したがって、子世帯住居で防犯設定情報が変更されたことを親世帯住居で確認することができるようになる。なお、親世帯住居の居住者が該親世帯住居の防犯設定情報を変更した場合においても、子世帯住居の居住者が該子世帯住居の防犯設定情報を変更した場合と同様の動作なので、説明は省略する。
【発明の効果】
【００１６】
本発明の多世帯用インターホン装置によれば、多世帯間で互いに防犯設定／解除を容易に制御することで、互いの世帯の防犯設定／解除をしたり、その防犯設定情報を確認したりすることができるので、よりセキュリティ機能を高めることができる。
【発明を実施するための最良の形態】
【００１７】
以下、本発明の多世帯用インターホン装置における好ましい実施の形態例について、図面を参照して説明する。
【００１８】
本発明の多世帯用インターホン装置は図１に示すように、例えば２世帯用インターホン装置で、親世帯住居には、来訪者が親世帯住居の居住者を呼び出して通話するための玄関子機１と、親世帯住居で発生したセキュリティ異常を検知するための防犯センサ３と、玄関子機１からの呼び出しを確認した居住者が応答して来訪者との間で通話するとともに、防犯センサ３にて検知されたセキュリティ異常を発報するための親世帯インターホン親機２とを備えている。また、子世帯住居には、親世帯住居と同様に、来訪者が子世帯住居の居住者を呼び出して通話するための玄関子機４と、子世帯住居で発生したセキュリティ異常を検知するための防犯センサ６と、玄関子機４からの呼び出しを確認した居住者が応答して来訪者との間で通話するとともに、防犯センサ６にて検知されたセキュリティ異常を発報するための子世帯インターホン親機５とを備えている。
【００１９】
親世帯住居に備えられる親世帯インターホン親機２は、玄関子機１からの呼び出しや防犯センサ３で防犯異常が検知されたことを報知するスピーカ２７と、玄関子機１と通話するための送受話器２８と、種々の操作情報を入力するためのタッチパネル２３と、種々の情報を表示するための液晶表示部２９と、これらを制御する制御部であるＣＰＵ２２とを備えている。スピーカ２７は音声発生／増幅部２６を介してＣＰＵ２２に接続され、送受話器２８は通話回路３１を介して玄関子機１に接続する通信回路３２に接続されている。通話回路３１はＣＰＵ２２に接続され、通信回路３２はＣＰＵ２２に接続されている呼出検出部２５に接続されている。また、タッチパネル２３と液晶表示部２９はＣＰＵ２２に接続され、防犯センサ３はセンサ検出部２４を介してＣＰＵ２２に接続され、ＣＰＵ２２は通信回路３３を介して子世帯インターホン親機５に接続されている。
【００２０】
また、親世帯インターホン親機２は、自世帯住居の防犯センサ３の防犯設定／解除の防犯設定情報を記憶するためのメモリ２１と、子世帯住居の防犯設定情報を読み出すための確認信号を子世帯インターホン親機５に送信する防犯設定情報確認手段と、後述する子世帯インターホン親機５の防犯設定情報確認手段から送信されてきた確認信号を受信し、メモリ２１から親世帯住居の防犯設定情報を読み出して子世帯インターホン親機５に送信する防犯設定情報報知手段とを有している。この親世帯インターホン親機２の防犯設定情報確認手段はタッチパネル２３の他世帯防犯設定状況確認操作部２３ｄ、およびＣＰＵ２２が有する他世帯防犯設定状況確認回路２２ｄで構成され、防犯設定情報報知手段はＣＰＵ２２、音声発生／増幅部２６、スピーカ２７および液晶表示部２９で構成されている。
【００２１】
また、親世帯インターホン親機２は、子世帯住居の防犯設定情報を変更するための変更要求信号を子世帯インターホン親機５に送信する防犯設定情報変更要求手段と、後述する子世帯インターホン親機５の防犯設定情報変更要求手段から送信されてきた変更要求信号を受信し、自世帯住居の親世帯インターホン親機２を防犯設定または解除するとともに、変更された自世帯住居の防犯設定情報をメモリ２１に記憶する防犯設定情報変更記憶手段と、このメモリに記憶された自世帯住居の防犯設定情報を子世帯インターホン親機５に送信する第１の防犯設定情報送信手段と、後述する子世帯インターホン親機５の防犯設定情報送信手段から送信されてきた防犯設定情報を報知する第１の防犯設定情報報知手段とを有している。また、子世帯住居の子世帯インターホン親機５から送信されてきた変更要求信号を受信して自世帯住居の親世帯インターホン親機２の防犯設定または解除した際、その変更が失敗したことを通知するための変更失敗通知信号を子世帯住居の子世帯インターホン親機５に送信する変更失敗情報送信手段と、後述する子世帯住居の子世帯インターホン親機５から送信されてきた変更失敗通知信号を受信して警報発報を行うための警報発報手段とを有している。
【００２２】
この親世帯インターホン親機２の防犯設定情報変更要求手段はタッチパネル２３の他世帯防犯設定／解除操作部２３ｂ、およびＣＰＵ２２が有する他世帯防犯設定／解除回路２２ｂで構成され、防犯設定情報変更記憶手段はタッチパネル２３の自世帯防犯設定／解除操作部２３ａ、およびＣＰＵ２２が有する自世帯防犯設定／解除回路２２ａで構成され、第１の防犯設定情報送信手段はＣＰＵ２２および通信回路３３で構成され、第１の防犯設定情報報知手段はＣＰＵ２２、音声発生／増幅部２６、スピーカ２７および液晶表示部２９で構成されている。また、親世帯インターホン親機２の変更失敗情報送信手段はＣＰＵ２２および通信回路３３で構成され、警報発報手段はＣＰＵ２２、音声発生／増幅部２６、スピーカ２７および液晶表示部２９で構成されている。
【００２３】
さらに、親世帯インターホン親機２は、自世帯住居の防犯設定情報を変更するための防犯設定情報変更手段と、防犯設定情報変更手段で変更された自世帯住居の防犯設定情報を子世帯住居の子世帯インターホン親機５に送信する第２の防犯設定情報送信手段と、後述する子世帯インターホン親機５の防犯設定情報送信手段から送信されてきた防犯設定情報を受信して報知する第２の防犯設定情報報知手段とを有している。この親世帯インターホン親機２の防犯設定情報変更手段はタッチパネル２３の自世帯防犯設定／解除操作部２３ａ、およびＣＰＵ２２が有する自世帯防犯設定／解除回路２２ａで構成され、第２の防犯設定情報送信手段は第１の防犯設定情報送信手段と同様にＣＰＵ２２および通信回路３３で構成され、第２の防犯設定情報報知手段は第１の防犯設定情報報知手段と同様にＣＰＵ２２、音声発生／増幅部２６、スピーカ２７および液晶表示部２９で構成されている。
【００２４】
子世帯住居に備えられる子世帯インターホン親機５は親世帯インターホン親機２と同様の構成で、玄関子機４からの呼び出しや防犯センサ６で防犯異常が検知されたことを報知するスピーカ５７と、玄関子機４と通話するための送受話器５８と、種々の操作情報を入力するためのタッチパネル５３と、種々の情報を表示するための液晶表示部５９と、これらを制御する制御部であるＣＰＵ５２とを備えている。スピーカ５７は音声発生／増幅部５６を介してＣＰＵ５２に接続され、送受話器５８は通話回路６１を介して玄関子機４に接続する通信回路６２に接続されている。通話回路６１はＣＰＵ５２に接続され、通信回路６２はＣＰＵ５２に接続されている呼出検出部５５に接続されている。また、タッチパネル５３と液晶表示部５９はＣＰＵ５２に接続され、防犯センサ６はセンサ検出部５４を介してＣＰＵ５２に接続され、ＣＰＵ５２は通信回路６３を介して親世帯インターホン親機２に接続されている。
【００２５】
また、子世帯インターホン親機５は、自世帯住居の防犯センサ６の防犯設定／解除の防犯設定情報を記憶するためのメモリ５１と、親世帯住居の防犯設定情報を読み出すための確認信号を親世帯インターホン親機２に送信する防犯設定情報確認手段と、親世帯インターホン親機２の防犯設定情報確認手段から送信されてきた確認信号を受信し、メモリ５１から子世帯住居の防犯設定情報を読み出して親世帯インターホン親機２に送信する防犯設定情報報知手段とを有している。防犯設定情報確認手段はタッチパネル５３の他世帯防犯設定状況確認操作部５３ｄ、およびＣＰＵ５２が有する他世帯防犯設定状況確認回路５２ｄで構成され、防犯設定情報報知手段はＣＰＵ５２、音声発生／増幅部５６、スピーカ５７および液晶表示部５９で構成されている。
【００２６】
また、子世帯インターホン親機５は、親世帯住居の防犯設定情報を変更するための変更要求信号を親世帯インターホン親機２に送信する防犯設定情報変更要求手段と、親世帯インターホン親機２の防犯設定情報変更要求手段から送信されてきた変更要求信号を受信し、自世帯住居の子世帯インターホン親機５を防犯設定または解除するとともに、変更された自世帯住居の防犯設定情報をメモリ５１に記憶する防犯設定情報変更記憶手段と、このメモリ５１に記憶された自世帯住居の防犯設定情報を親世帯インターホン親機２に送信する第１の防犯設定情報送信手段と、親世帯インターホン親機２の防犯設定情報送信手段から送信されてきた防犯設定情報を報知する第１の防犯設定情報報知手段とを有している。また、親世帯住居の親世帯インターホン親機２から送信されてきた変更要求信号を受信して自世帯住居の子世帯インターホン親機５の防犯設定または解除した際、その変更が失敗したことを通知するための変更失敗通知信号を親世帯住居の親世帯インターホン親機２に送信する変更失敗情報送信手段と、親世帯住居の親世帯インターホン親機２から送信されてきた変更失敗通知信号を受信して警報発報を行うための警報発報手段とを有している。
【００２７】
この子世帯インターホン親機５の防犯設定情報変更要求手段はタッチパネル５３の他世帯防犯設定／解除操作部５３ｂ、およびＣＰＵ５２が有する他世帯防犯設定／解除回路５２ｂで構成され、防犯設定情報変更記憶手段はタッチパネル５３の自世帯防犯設定／解除操作部５３ａ、およびＣＰＵ５２が有する自世帯防犯設定／解除回路５２ａで構成され、第１の防犯設定情報送信手段はＣＰＵ５２および通信回路６３で構成され、第１の防犯設定情報報知手段はＣＰＵ５２、音声発生／増幅部５６、スピーカ５７および液晶表示部５９で構成されている。また、子世帯インターホン親機５の変更失敗情報送信手段はＣＰＵ５２および通信回路６３で構成され、警報発報手段はＣＰＵ５２、音声発生／増幅部５６、スピーカ５７および液晶表示部５９で構成されている。
【００２８】
さらに、子世帯インターホン親機５は、自世帯住居の防犯設定情報を変更するための防犯設定情報変更手段と、防犯設定情報変更手段で変更された自世帯住居の防犯設定情報を親世帯住居の親世帯インターホン親機２に送信する第２の防犯設定情報送信手段と、親世帯インターホン親機２の防犯設定情報送信手段から送信されてきた防犯設定情報を受信して報知する第２の防犯設定情報報知手段とを有している。この子世帯インターホン親機５の防犯設定情報変更手段はタッチパネル５３の自世帯防犯設定／解除操作部５３ａ、およびＣＰＵ５２が有する自世帯防犯設定／解除回路５２ａで構成され、第２の防犯設定情報送信手段は第１の防犯設定情報送信手段と同様にＣＰＵ５２および通信回路６３で構成され、第２の防犯設定情報報知手段は第１の防犯設定情報報知手段と同様にＣＰＵ５２、音声発生／増幅部５６、スピーカ５７および液晶表示部５９で構成されている。
【００２９】
このように構成された２世帯用インターホン装置による操作や動作について、以下説明する。
【００３０】
まず、防犯設定／解除について図２に示すフローチャートに基づき説明する。
【００３１】
例えば、子世帯住居の居住者が親世帯住居の防犯設定情報を確認するために、子世帯インターホン親機５のタッチパネル５３の他世帯防犯設定状況確認操作部５３ｄを操作すると、ＣＰＵ５２の他世帯防犯設定状況確認回路５２ｄがその操作信号に基づき、確認先である親世帯インターホン親機２に防犯設定情報を読み出すための確認信号を送信する（ＳＴ１０１）。この確認信号は子世帯インターホン親機５の通信回路６３を介して親世帯インターホン親機２の通信回路３３に伝送され、通信回路３３はその確認信号をＣＰＵ２２に出力する。ＣＰＵ２２はこの確認信号に基づきメモリ２１から防犯設定情報を読み出し、その防犯設定情報を確認元である子世帯インターホン親機５に通信回路３３を介して送信する（ＳＴ１０２、１０３）。この親世帯住居の防犯設定情報は子世帯インターホン親機５の通信回路６３を介してＣＰＵ５２で受信される。ＣＰＵ５２はこの防犯設定情報を受信すると、その防犯設定情報を液晶表示部５９に表示したり、音声発生／増幅部５６を介してスピーカ５７から報音したりして子世帯住居の居住者に知らせることができる（ＳＴ１０４）。したがって、子世帯住居で親世帯住居の防犯設定情報を容易に取得できる。なお、子世帯インターホン親機５から親世帯住居の防犯設定情報を確認するための確認信号は、ＣＰＵ５２から一定間隔の時間で定期的に親世帯インターホン親機２に送信するように設定してもよい。
【００３２】
この防犯設定情報が、例えば親世帯住居が留守であるにも拘わらず防犯設定が解除になっている場合には、子世帯インターホン親機５のタッチパネル５３の他世帯防犯設定／解除操作部５３ｂで設定操作を行う（ＳＴ１０５）。タッチパネル５３の他世帯防犯設定／解除操作部５３ｂで設定操作を行うと、ＣＰＵ５２の他世帯防犯設定／解除回路５２ｂがその設定操作信号に基づき要求先の親世帯インターホン親機２に変更要求信号を送信する（ＳＴ１０６）。この変更信号は子世帯インターホン親機５の通信回路６３を介して親世帯インターホン親機２の通信回路３３に伝送され、通信回路３３はその変更要求信号をＣＰＵ２２に出力する。ＣＰＵ２２はこの変更要求信号に基づきメモリ２１に記憶されている防犯設定情報を防犯設定に変更して該メモリ２１に記憶させる（ＳＴ１０７）。ＣＰＵ２２は変更された自世帯住居の防犯設定情報がメモリ２１に記憶されると（ＳＴ１０８）、そのメモリ２１に記憶された防犯設定情報を要求元である子世帯インターホン親機５に通信回路３３を介して送信する。この親世帯住居の変更された防犯設定情報は子世帯インターホン親機５の通信回路６３を介してＣＰＵ５２で受信される。ＣＰＵ５２はこの変更された防犯設定情報を受信すると、その防犯設定情報を液晶表示部５９に表示したり、音声発生／増幅部５６を介してスピーカ５７から報音したりして子世帯住居の居住者に知らせることができる（ＳＴ１０９）。したがって、子世帯住居で親世帯住居の防犯設定情報を容易に変更できるようになる。
【００３３】
なお、ＳＴ１０８で防犯設定情報の変更に失敗した、例えば変更内容をメモリ２１に記憶できなかった場合には、親世帯インターホン親機２のＣＰＵ２２は自世帯住居のインターホン親機２の防犯設定の変更に失敗したことを通知するための変更失敗通知信号を要求元の子世帯インターホン親機５に送信する。この変更失敗通知信号は子世帯インターホン親機５の通信回路６３を介してＣＰＵ５２で受信される。ＣＰＵ５２はこの変更失敗通知信号を受信すると、その防犯設定の変更失敗情報を液晶表示部５９に表示したり、音声発生／増幅部５６を介してスピーカ５７から報音したりして子世帯住居の居住者に知らせることができる（ＳＴ１１０）。したがって、要求元の子世帯住居で親世帯住居の防犯設定情報の変更に失敗したことを容易に確認できるようになる。
【００３４】
この親世帯住居の防犯設定情報の変更に失敗したことを確認した子世帯住居の居住者は、再度、子世帯インターホン親機５が有するタッチパネル５３の他世帯防犯設定／解除操作部５３ｂで変更の設定操作を行うと（ＳＴ１１１）、ＣＰＵ５２の他世帯防犯設定／解除回路５２ｂがその設定操作信号に基づき要求先の親世帯インターホン親機２に変更要求信号を送信し、以後ＳＴ１０６からＳＴ１０９までが実行される。
【００３５】
また、親世帯住居が留守の場合において、子世帯住居の居住者が親世帯住居に入るには、まず、親世帯住居で防犯設定がなされているか否かを確認する。子世帯住居の居住者が親世帯住居の防犯設定情報を確認するために、子世帯インターホン親機５のタッチパネル５３の他世帯防犯設定状況確認操作部５３ｄを操作すると、ＳＴ１０１からＳＴ１０４が実行されるので、親世帯住居の防犯設定情報を子世帯住居の居住者が確認できる。この防犯設定情報が防犯設定になっている場合、子世帯インターホン親機５のタッチパネル５３の他世帯防犯設定／解除操作部５３ｂで設定解除操作を行うと、ＳＴ１０５からＳＴ１０９が実行される。したがって、親世帯住居における防犯設定が解除され、その防犯設定が解除された旨の防犯設定情報を子世帯住居の居住者が確認できるので、子世帯住居の居住者が留守中の親世帯住居に入る時に警報が発報してしまうことを回避することができる。
【００３６】
さらに、親世帯住居の居住者が自世帯住居の防犯設定情報を解除から設定に変更する場合には、親世帯インターホン親機２のタッチパネル２３の自世帯防犯設定／解除操作部２３ａで設定操作を行う。タッチパネル２３の自世帯防犯設定／解除操作部２３ａで設定操作を行うと、ＣＰＵ２２の自世帯防犯設定／解除回路２２ａがその設定操作信号に基づきメモリ２１に記憶された防犯設定情報を防犯設定に変更して該メモリ２１に記憶させる。ＣＰＵ２２は変更された自世帯住居の防犯設定情報がメモリ２１に記憶されると、そのメモリ２１に記憶された防犯設定情報を子世帯インターホン親機５に通信回路３３を介して送信する。この親世帯住居の変更された防犯設定情報は子世帯インターホン親機５の通信回路６３を介してＣＰＵ５２で受信される。ＣＰＵ５２はこの変更された防犯設定情報を受信すると、その防犯設定情報を液晶表示部５９に表示したり、音声発生／増幅部５６を介してスピーカ５７から報音したりして子世帯住居の居住者に知らせることができる。したがって、親世帯住居で防犯設定情報が変更されたことを子世帯住居で容易に確認することができるようになる。
【００３７】
なお、親世帯住居で子世帯住居の防犯設定情報を確認したり、変更したり、防犯設定情報の変更に失敗したことを確認したり、子世帯住居の居住者が該子世帯住居の防犯設定情報を変更したりした場合においても、図２に示したフローチャートで実行することができるので、説明は省略する。
【００３８】
次に、呼び出し、応答動作について説明する。
【００３９】
例えば親世帯住居の住戸玄関に居る来訪者が玄関子機１の呼出ボタン（図示せず）を押下すると、呼出信号が親世帯インターホン親機２の通信回路３２を介して呼出検出部２５に伝送される。呼出検出部２５は、玄関子機１からの呼出信号を基に来訪者による呼び出しがあることを検出し、その旨の呼出検出信号をＣＰＵ２２に出力する。この呼出検出部２５からの呼出検出信号を検出し待受状態から呼出状態に移行したＣＰＵ２２は、通話回路３１、音声発生／増幅部２６および液晶表示部２９をそれぞれ能動とする。したがって、スピーカ２７から呼出音が鳴動されたり、液晶表示部２９に来訪者の映像が映し出され、送受話器２８で応答すると玄関子機１と通話が可能となる。
【００４０】
また、子世帯住居の場合も同様に、子世帯住居の住戸玄関に居る来訪者が玄関子機４の呼出ボタン（図示せず）を押下すると、呼出信号が子世帯インターホン親機５の通信回路６２を介して呼出検出部５５に伝送される。呼出検出部５５は、玄関子機４からの呼出信号を基に来訪者による呼び出しがあることを検出し、その旨の呼出検出信号をＣＰＵ５２に出力する。この呼出検出部５５からの呼出検出信号を検出し待受状態から呼出状態に移行したＣＰＵ５２は、通話回路６１、音声発生／増幅部５６および液晶表示部５９をそれぞれ能動とする。したがって、スピーカ５７から呼出音が鳴動されたり、液晶表示部５９に来訪者の映像が映し出され、送受話器５８で応答すると玄関子機４と通話が可能となる。
【００４１】
次に、防犯センサの検出動作について説明する。
【００４２】
例えば親世帯住居で防犯設定されている場合において防犯センサ３が侵入者を検出すると、センサ検出部２４が侵入者検出信号をＣＰＵ２２に出力する。ＣＰＵ２２はこの侵入者検出信号に基づき侵入者情報を液晶表示部２９に表示したり、音声発生／増幅部２６を介してスピーカ２７から警報音を報知したりして親世帯住居の居住者に知らせることができる。また、子世帯住居で防犯設定されている場合において子世帯住居の防犯センサ６が侵入者を検出すると、センサ検出部５４が侵入者検出信号をＣＰＵ５２に出力する。ＣＰＵ５２はこの侵入者検出信号に基づき侵入者情報を液晶表示部５９に表示したり、音声発生／増幅部５６を介してスピーカ５７から警報音を報知したりして子世帯住居の居住者に知らせることができる。なお、親世帯住居の防犯センサ３が侵入者を検出した場合には、ＣＰＵ５２の制御によって子世帯住居の液晶表示部５９に表示したり、音声発生／増幅部５６を介してスピーカ５７から警報音を報知したりすることもでき、また、子世帯住居の防犯センサ６が侵入者を検出した場合には、ＣＰＵ２２の制御によって親世帯住居の液晶表示部２９に表示したり、音声発生／増幅部２６を介してスピーカ２７から警報音を報知したりすることもできる。
【００４３】
なお、上述したインターホン装置は２世帯住宅などの多世帯住宅で使用するものなので転送設定機能を有している。例えば、親世帯住居の玄関に居る来訪者が玄関子機１の呼出ボタンを押下すると、親世帯インターホン親機２で転送設定がされていない場合は、この親世帯インターホン親機２のみが呼出状態になり玄関子機１のカメラで撮像された映像が液晶表示部２９に出画されるので、親世帯インターホン親機２で応答操作すると、親世帯住居の玄関子機１と親世帯インターホン親機２とで通話を行うことができ、この通話を終了すると、親世帯インターホン親機２は待ち受け状態になる。また、親世帯住居の玄関に居る来訪者が玄関子機１の呼出ボタンを押下した際、親世帯インターホン親機２で転送設定されている場合は、親世帯住居の親世帯インターホン親機２と子世帯住居の子世帯インターホン親機５で呼び出し状態になり玄関子機１のカメラで撮像された映像が各液晶表示部２９、５９に出画される。この際、親世帯インターホン親機２で転送設定がされているので、子世帯住居の子世帯インターホン親機５で応答操作すると、親世帯住居の玄関子機１と子世帯インターホン親機５とで通話を行うことができ、この通話を終了すると子世帯インターホン親機５は待ち受け状態になる。なお、親世帯住居の親世帯インターホン親機２で応答操作しても、親世帯住居の玄関子機１と親世帯インターホン親機２とで通話を行うことができ、この通話を終了すると親世帯インターホン親機２は待ち受け状態になる。
【００４４】
また、上述した本発明の多世帯用インターホン装置においては、親世帯インターホン親機および子世帯インターホン親機間で内線通話ができたり、熱感知器やガス漏れ検知器などを設置して火災、ガス漏れなどの異常発生を緊急連絡したりすることができることは言うまでもないが、既存の配線構成でこれら動作を達成できるので、図は省略する。
【００４５】
また、上述した本発明の多世帯用インターホン装置においては、２世帯用インターホン装置を用いて説明していたが、これに限らず、３世帯用やそれ以上の世帯数用のものでも適用させることができる。この場合、各信号に固有のアドレス等を付加してどの世帯住居に送信される信号かを識別できるようにするとよい。また、本発明でいう子世帯には孫世帯も含むものとする。また、世帯とは、住居および生計を共にする者の集団をいう。
【図面の簡単な説明】
【００４６】
【図１】本発明の多世帯用インターホン装置における好ましい実施の形態例を示すブロック図。
【図２】本発明の多世帯用インターホン装置による防犯設定／解除のフローチャート図。
【符号の説明】
【００４７】
２……親世帯インターホン親機
２１……メモリ
２２……ＣＰＵ（防犯設定情報読出送信手段、防犯設定情報報知手段、防犯設定情報送信手段、変更失敗情報送信手段、警報発報手段）
２２ａ……自世帯防犯設定／解除回路（防犯設定情報変更記憶手段、防犯設定情報変更手段）
２２ｂ……他世帯防犯設定／解除回路（防犯設定情報変更要求手段）
２２ｃ……自世帯防犯設定状況確認回路
２２ｄ……他世帯防犯設定状況確認回路（防犯設定情報確認送信手段）
２３……タッチパネル
２３ａ……自世帯防犯設定／解除操作部（防犯設定情報変更記憶手段、防犯設定情報変更手段）
２３ｂ……他世帯防犯設定／解除操作部（防犯設定情報変更要求手段）
２３ｃ……自世帯防犯設定状況確認操作部
２３ｄ……他世帯防犯設定状況確認操作部（防犯設定情報確認送信手段）
２４……センサ検出部
２５……呼出検出通話制御部
２６……音声発生／増幅部（防犯設定情報報知手段、警報発報手段）
２７……スピーカ（防犯設定情報報知手段、警報発報手段）
２８……送受器
２９……液晶表示部（防犯設定情報報知手段、警報発報手段）
３３……通信回路（防犯設定情報確認送信手段、防犯設定情報読出送信手段、防犯設定情報送信手段、変更失敗情報送信手段）
３、６……防犯センサ
１、４……玄関子機
５……子世帯インターホン親機
５１……メモリ
５２……ＣＰＵ（防犯設定情報読出送信手段、防犯設定情報報知手段、防犯設定情報送信手段、変更失敗情報送信手段、警報発報手段）
５２ａ……自世帯防犯設定／解除回路（防犯設定情報変更記憶手段、防犯設定情報変更手段）
５２ｂ……他世帯防犯設定／解除回路（防犯設定情報変更要求手段）
５２ｃ……自世帯防犯設定状況確認回路
５２ｄ……他世帯防犯設定状況確認回路（防犯設定情報確認送信手段）
５３……タッチパネル
５３ａ……自世帯防犯設定／解除操作部（防犯設定情報変更記憶手段、防犯設定情報変更手段）
５３ｂ……他世帯防犯設定／解除操作部（防犯設定情報変更要求手段）
５３ｃ……自世帯防犯設定状況確認操作部
５３ｄ……他世帯防犯設定状況確認操作部（防犯設定情報確認送信手段）
５４……センサ検出部
５５……呼出検出通話制御部
５６……音声発生／増幅部（防犯設定情報報知手段、警報発報手段）
５７……スピーカ（防犯設定情報報知手段、警報発報手段）
５８……送受器
５９……液晶表示部（防犯設定情報報知手段、警報発報手段）
６３……通信回路（防犯設定情報確認送信手段、防犯設定情報読出送信手段、防犯設定情報送信手段、変更失敗情報送信手段）
【図１】
2006067082.tif 000003
【図２】
2006067082.tif 000004